(57)【要約】【課題】電路が接続された状態で通電されている際、回動アームの誤操作による電路の誤遮断を防止できる。【解決手段】電路を接続又は遮断する際に操作される回動アームを有するスイッチ装置の回動規制装置であって、前記回動アームが前記電路を接続する第１位置から前記電路を遮断する第２位置へ回動することを規制する規制板と、前記電路が接続された状態で通電されている場合、前記回動アームの前記第１位置から前記第２位置への回動を規制する第３位置に前記規制板を移動させ、前記電路が接続された状態で通電されていない場合、前記回動アームの前記第１位置から前記第２位置への回動を許可する第４位置に前記規制板を移動させる制御装置と、を備える。【選択図】  図５
2013143293.tif 000002
【特許請求の範囲】
【請求項１】
電路を接続又は遮断する際に操作される回動アームを有するスイッチ装置の回動規制装置であって、
前記回動アームが前記電路を接続する第１位置から前記電路を遮断する第２位置へ回動することを規制する規制板と、
前記電路が接続された状態で通電されている場合、前記回動アームの前記第１位置から前記第２位置への回動を規制する第３位置に前記規制板を移動させ、前記電路が接続された状態で通電されていない場合、前記回動アームの前記第１位置から前記第２位置への回動を許可する第４位置に前記規制板を移動させる制御装置と、
を備えたことを特徴とするスイッチ装置の回動規制装置。
【請求項２】
前記第３位置は、前記回動アームの前記第１位置と前記第２位置との間の回動位置であり、
前記第４位置は、前記回動位置から外れた位置である
ことを特徴とする請求項１に記載のスイッチ装置の回動規制装置。
【請求項３】
前記制御装置は、
前記電路が接続された状態で通電されている場合、前記規制板を前記第３位置に移動させ、前記電路が接続された状態で通電されていない場合、前記規制板を前記第４位置に移動させるための駆動力を発生するソレノイド装置と、
前記ソレノイド装置の駆動力を前記規制板に伝達する伝達部材と、
を含むことを特徴とする請求項２に記載のスイッチ装置の回動規制装置。
【請求項４】
前記規制板と前記制御装置が収容され、前記規制板が外部の前記第３位置に向かって突出するか内部の前記第４位置に向かって退避するための開口を有する筐体と、
前記規制板が前記第３位置にあるとき、前記回動アームの回動が規制されていることを表示する表示体と、
を備えたことを特徴とする請求項２又は３に記載のスイッチ装置の回動規制装置。
【発明の詳細な説明】
【技術分野】
【０００１】
本発明は、スイッチ装置の回動規制装置に関する。
【背景技術】
【０００２】
例えば、電路を接続又は遮断する際に操作される回動アームを有するナイフスイッチにおける当該アームの回動を規制する誤操作防止装置（特許文献１）が知られている。
【先行技術文献】
【特許文献】
【０００３】
【特許文献１】実開昭５８−１３８２１９号公報
【発明の概要】
【発明が解決しようとする課題】
【０００４】
特許文献１の誤操作防止装置は、手動で移動されるカバーによって回動アームを覆って、回動アームが回動することを規制している。例えば、ナイフスイッチによって接続された電路が通電されているにも関わらず、当該ナイフスイッチの回動アームがカバーで覆われない状態とされた場合、回動アームの誤操作によって、通電されている電路が誤って遮断される虞がある。
【課題を解決するための手段】
【０００５】
前述した課題を解決する主たる本発明は、電路を接続又は遮断する際に操作される回動アームを有するスイッチ装置の回動規制装置であって、前記回動アームが前記電路を接続する第１位置から前記電路を遮断する第２位置へ回動することを規制する規制板と、前記電路が接続された状態で通電されている場合、前記回動アームの前記第１位置から前記第２位置への回動を規制する第３位置に前記規制板を移動させ、前記電路が接続された状態で通電されていない場合、前記回動アームの前記第１位置から前記第２位置への回動を許可する第４位置に前記規制板を移動させる制御装置と、を備えたことを特徴とするスイッチ装置の回動規制装置である。
【０００６】
本発明の他の特徴については、添付図面及び本明細書の記載により明らかとなる。
【発明の効果】
【０００７】
本発明によれば、電路が接続された状態で通電されている際に、回動アームの誤操作による電路の誤遮断を防止できる。
【図面の簡単な説明】
【０００８】
【図１】本発明の実施形態における電力系統を示す図である。
【図２】本発明の実施形態におけるコンデンサ型計器用変圧器を示す回路図である。
【図３】本発明の実施形態における回動規制装置の内部と、ナイフスイッチとを示す図である。
【図４】本発明の実施形態におけるアームが回動された状態のナイフスイッチを示す図である。
【図５】本発明の実施形態におけるアームの回動を規制しているときの回動規制装置の内部と、ナイフスイッチとを示す図である。
【図６】本発明の実施形態における回動規制装置と、ナイフスイッチとを示す図である。
【発明を実施するための形態】
【０００９】
本明細書および添付図面の記載により、少なくとも以下の事項が明らかとなる。
【００１０】
＝＝＝電力系統＝＝＝
以下、図１を参照して、本実施形態における電力系統について説明する。図１は、本実施形態における電力系統を示す図である。
【００１１】
電力系統３００は、変電所１、２を備えて構成される。  
変電所１は、発電所（不図示）の発電機Ｇ１、Ｇ２から電力が供給される例えば一次変電所である。変電所２は、変電所１から電力が供給される、例えば中間変電所である。変電所１は、遮断器ＣＢ１乃至ＣＢ５、母線Ｌ１、Ｌ２、断路器１１乃至１４、２１乃至２４、送電線Ｌ４１乃至Ｌ４４、電力線５１乃至５４、継電装置４、コンデンサ型計器用変圧器（ＰＤ：Ｐｏｔｅｔｉａｌ  Ｄｅｖｉｃｅ）１００、２００を有している。
【００１２】
母線Ｌ１、Ｌ２には、発電機Ｇ１又はＧ２で発電された電力が供給される。母線Ｌ１、Ｌ２は、遮断器ＣＢ５を介して相互に接続される。なお、遮断器ＣＢ５は、例えば常時ＯＦＦしている母線連携用遮断器である。母線Ｌ１、Ｌ２の間には、電力線５１乃至５４が接続される。電力線５１乃至５４には、夫々、断路器１１、２１、断路器１２、２２、断路器１３、２３、断路器１４、２４が設けられる。尚、発電機Ｇ１、Ｇ２から供給された電力が、変電所２に供給されるように、断路器１１乃至１４と、断路器２１乃至２４とは、相補的に開閉するものとする。送電線Ｌ４１の一端は、発電機Ｇ１に接続され、送電線Ｌ４１の他端は、電力線５１における断路器１１と２１との間に接続される。送電線４２の一端は、発電機Ｇ２に接続され、送電線Ｌ４２の他端は、電力線５２における断路器１２と２２との間に接続される。送電線Ｌ４３の一端は、電力線５３における断路器１３と２３との間に接続され、送電線Ｌ４３の他端は、変電所２の母線Ｌ２１に接続される。送電線Ｌ４４の一端は、電力線５４における断路器１４と２４との間に接続され、送電線Ｌ４４の他端は、変電所２の母線Ｌ２１に接続される。遮断器ＣＢ１乃至ＣＢ４は夫々、送電線Ｌ４１乃至Ｌ４４に設けられる。
【００１３】
ＰＤ１００、２００は夫々、例えば６６キロボルトの特別高圧の電圧を、継電装置４に供給できる１１０ボルトの電圧に降圧する変圧器である。ＰＤ１００、２００の一次側は夫々、母線Ｌ１、Ｌ２に接続される。ＰＤ１００、２００の二次側には、継電装置４が接続される。尚、ＰＤ１００、２００については、後述する。
【００１４】
継電装置４は、ＰＤ１００、２００の出力に基づいて、遮断器ＣＢ１乃至ＣＢ５、断路器１１乃至１４、２１乃至２４を制御する。
【００１５】
変電所２は、母線Ｌ２１、変圧器Ｔｒ１を有している。母線Ｌ２１には、送電線Ｌ４３、４４から電力が供給される。変圧器Ｔ１の一次側は、母線Ｌ２１に接続され、変圧器Ｔｒ１の二次側は、負荷Ｒ１に接続される。尚、負荷Ｒ１は、変電所２が供給された電力によって動作する例えば工場等の電気機器である。
【００１６】
＝＝＝コンデンサ型計器用変圧器（ＰＤ）＝＝＝
以下、図２を参照して、本実施形態におけるコンデンサ型計器用変圧器について説明する。図２は、本実施形態におけるコンデンサ型計器用変圧器を示す回路図である。
【００１７】
ＰＤ１００の一次側は、母線Ｌ１に接続され、ＰＤ１００の二次側は、ナイフスイッチ８（スイッチ装置）を介して継電装置４に接続される。ＰＤ１００は、コンデンサＣ１、Ｃ２、一次側巻線５１、二次側巻線５２、端子Ｔ５０、Ｔ５１、Ｔ５２を有している。コンデンサＣ１、Ｃ２は、母線Ｌ１の電圧を分圧する。コンデンサＣ１、Ｃ２は、端子Ｔ５０と接地（ＧＮＤ）との間で直列接続される。尚、端子Ｔ５０には、母線Ｌ１の電圧が供給される。一次側巻線５１には、母線Ｌ１の電圧をコンデンサＣ１、Ｃ２で分圧した電圧が現れる。一次側巻線５１は、例えば環状の鉄心（不図示）に巻回される。一次側巻線５１は、コンデンサＣ２の両端に接続される。二次側巻線５２は、一次側巻線５１に現れる電圧を降圧するための巻線である。二次側巻線５２の両端には、一次側巻線５１で発生した磁界の電磁誘導によって、二次側電圧が現れる。二次側巻線５２は、一次側巻線５１が巻回された例えば環状の鉄心に巻回される。二次側巻線５２の両端は、端子Ｔ５１、Ｔ５２に接続される。尚、コンデンサＣ１、Ｃ２の容量、一次側巻線５１、二次側巻線５２の巻き数は、母線Ｌ１の電圧が、継電装置４に供給できる例えば１１０ボルトに降圧されるように設定されているものとする。端子Ｔ５１、Ｔ５２は夫々、端子Ｔ５１、Ｔ５２に対して継電装置４から電圧が供給されるのを防止できるように、ナイフスイッチ８を介して、継電装置４の端子Ｔ４１、Ｔ４２に接続される。尚、ＰＤ２００はＰＤ１００と同様な構成である。
【００１８】
＝＝＝ナイフスイッチ＝＝＝
以下、図２乃至図４を参照して、本実施形態におけるナイフスイッチについて説明する。図３は、本実施形態における回動規制装置の内部と、ナイフスイッチとを示す図である。尚、筐体７１、７５、背面板８０は説明の便宜上、点線で示される。図４は、図３を−Ｘ方向に向かって見た、本実施形態におけるアームが回動された状態のナイフスイッチを示す図である。
【００１９】
ナイフスイッチ８は、ＰＤ１００（図２）と計電装置４との間の電路を接続又は遮断する。ナイフスイッチ８は、例えば、垂直方向（Ｚ軸）に立設した背面板８０の手前側の面（−Ｙ）に取り付けられる。ナイフスイッチ８は、アーム８１、８３、把手８５、回動部材８２、８４、端子Ｔ８２、Ｔ８４、９１ａ、９２ａ、端子台９１、９２、接続板９１ｂ、９２ｂを有している。尚、アーム８１、８３、把手８５が回動アームに相当する。
【００２０】
アーム８１、８３は、ＰＤ１００と計電装置４との間の電路を接続又は遮断する際に操作される。アーム８１は、例えば、長尺形状を呈する金属製の部材である。アーム８１の一端は、回動部材８２によって背面板８０の手前側の面に取り付けられる。尚、回動部材８２は、例えば、規制板７２が移動する方向（Ｘ軸）に平行な回動軸８２ａを有する、金属製の部材である。尚、規制板７２については後述する。アーム８１は、回動軸８２ａを中心に、回動自在に背面板８０に取り付けられることとなる。アーム８１の他端には、把手８５が取り付けられる。
【００２１】
アーム８３は、アーム８１と同様な形状を呈する、例えば金属製の部材である。アーム８３の一端は、回動部材８４によって背面板８０の手前側の面に取り付けられる。尚、回動部材８４は、例えば、回動部材８２と同様に、規制板７２が移動する方向に平行な回動軸８４ａを有する、金属製の部材である。アーム８３は、回動軸８４ａを中心に、回動自在に背面板８０に取り付けられることとなる。アーム８３の他端には、把手８５が取り付けられる。
【００２２】
把手８５は、アーム８１、８３を連動して操作するための、例えば絶縁性の部材である。
【００２３】
端子Ｔ８２、Ｔ８４には夫々、電線Ｌ５３、Ｌ５４（図２）夫々の一端が接続される。尚、電線Ｌ５３、Ｌ５４夫々の他端は、ＰＤ１００の端子Ｔ５１、Ｔ５２に接続される。端子Ｔ８２、Ｔ８４は夫々、背面板８０の手前側の面における、回動部材８２、８４が取り付けられる位置の上側（＋Ｚ）に取り付けられる。端子Ｔ８２、Ｔ８４は夫々、回動軸８２ａ、８４ａを中心にアーム８１、８３をＡ１方向（図４）に回動した際に、アーム８１、８３における把手８５が取り付けられている側の一部が嵌るような凹部が形成されている。アーム８１の把手８５が取り付けられている側の一部（以下、「アーム８１の接点」と称する）、アーム８３の把手８５が取り付けられている側の一部（以下、「アーム８３の接点」と称する）が夫々端子Ｔ８２、Ｔ８４の凹部に嵌められた場合、アーム８１、８３夫々と端子Ｔ８２、Ｔ８４とは電気的に接続された状態となる。
【００２４】
端子台９１、９２は夫々、端子９１ａ、９１ｂを背面板８０に取り付けるための部材である。端子台９１、９２は夫々、背面板８０における回動部材８２、８４が取り付けられる位置の下側（−Ｚ）に取り付けられる。端子台９１、９２には夫々、端子９１ａ、９２ａが取り付けられる。端子９１ａ、９２ａには夫々、電線Ｌ５１、Ｌ５２の一端が接続される。尚、端子９１ａ、９２ａに接続された電線Ｌ５１、Ｌ５２の一端は夫々、例えば金属製の接続板９１ｂ、９２ｂを介してアーム８１、８３の一端に電気的に接続されるものとする。電線Ｌ５１、Ｌ５２夫々の他端は、継電装置４の端子Ｔ４１、Ｔ４２に接続される。
【００２５】
例えば、アーム８１、８３を夫々、回動軸８２ａ、８４ａを中心にＡ１方向に回動して、アーム８１、８３の接点が夫々端子Ｔ８２、Ｔ８４と電気的に接続された場合、ＰＤ１００と計電装置４との間の電路は電気的に接続されることとなる。尚、アーム８１、８３の接点が夫々端子Ｔ８２、Ｔ８４と電気的に接続されるようなアーム８１、８３の回動位置を、第１位置と称する。一方、例えば、アーム８１、８３を夫々、回動軸８２ａ、８４ａを中心にＡ２方向に回動して、アーム８１、８３の接点が夫々端子Ｔ８２、Ｔ８４から離間した場合、ＰＤ１００と計電装置４との間の電路は電気的に遮断されることとなる。尚、アーム８１、８３の接点が夫々端子Ｔ８２、Ｔ８４から離間するようなアーム８１、８３の回動位置を、第２位置と称する。
【００２６】
＝＝＝回動規制装置＝＝＝
以下、図３乃至図６を参照して、本実施形態における回動規制装置について説明する。図５は、本実施形態におけるアームの回動を規制しているときの回動規制装置の内部と、ナイフスイッチとを示す図である。尚、筐体７１、７５、背面板８０は説明の便宜上、点線で示される。図６は、図５を−Ｘ方向に向かって見た、本実施形態における回動規制装置と、ナイフスイッチとを示す図である。
【００２７】
回動規制装置７（スイッチ装置の回動規制装置）は、ＰＤ１００と計電装置４との間の電路が接続された状態で通電されているか否かに応じて、アーム８１、８３が第１位置から第２位置に回動することを規制したり、許可したりする装置である。尚、「ＰＤ１００と計電装置４との間の電路が接続された状態で通電されている」とは、アーム８１、８３が第１位置に回動されている状態で、母線Ｌ１の電圧をＰＤ１００で降圧した電圧が電線Ｌ５３、Ｌ５４に対して供給されていることを示す。「ＰＤ１００と計電装置４との間の電路が接続された状態で通電されていない」とは、アーム８１、８３が第１位置に回動されている状態で、母線Ｌ１の電圧をＰＤ１００で降圧した電圧が電線Ｌ５３、Ｌ５４に対して供給されていないことを示す。
【００２８】
回動規制装置７は、筐体７１、規制板７２、リンク部材７３（伝達部材）、ソレノイド装置７４、ガイド部材４１、４２、４３、７２ｃ、７２ｄ、ヒューズＦ１、電線Ｌ７１、Ｌ７２を有している。尚、ソレノイド装置７４と、リンク部材７３とが制御装置に相当する。
【００２９】
筐体７１は、規制板７２、リンク部材７３、ソレノイド装置７４、ガイド部材４１、４２、４３、７２ｃ、７２ｄ、ヒューズＦ１を収容する。筐体７１は、例えば、略矩形柱形状を呈する。筐体７１は、回動軸８２ａ、８４ａに沿った方向（Ｘ軸）において、ナイフスイッチ８と隣接するように、立設している。筐体７１の垂直方向（Ｚ軸）の高さは、例えば、アーム８１、８３を第１位置に回動した際の把手８５の高さよりも高いものとする。筐体７１におけるナイフスイッチ８側の面には（＋Ｘ）、規制板７２を筐体７１の内部から突出させたり、規制板７２を筐体７１の内部に退避させたりするための開口７１ａが設けられる。開口７１ａは、筐体７１のナイフスイッチ８側の面における、例えば、アーム８１、８３を第１位置に回動した際の把手８５の高さと略同じ高さの位置に設けられる。開口７１ａの垂直方向の長さは、規制板７２を筐体７１の内部から突出させたり、規制板７２を筐体７１の内部に退避させたりできるように、規制板７２の垂直方向の長さよりも長いものとする。開口７１ａにおける、回動軸７３ａに沿った方向（Ｙ軸）の長さは、規制板７２を筐体７１の内部から突出させたり、規制板７２を筐体７１の内部に退避させたりできるように、規制板７２の厚さよりも長いものとする。
【００３０】
規制板７２は、アーム８１、８３を第１位置から第２位置へ回動することを規制する、例えば略矩形形状を呈する絶縁性の板部材である。規制板７２は、規制板７２の長手方向がＸ軸に沿った状態で、規制板７２の両面がＸＺ平面に沿うように、筐体７１内に収容される。規制板７２の垂直方向の長さは、例えば、アーム８１、８３を第１位置に回動させた際の把手８５の垂直方向の長さと略同様な長さとする。規制板７２のＸ軸方向の長さは、規制板７２のスイッチ８側の一部が開口７１ａから突出した際に、アーム８１、８３の回動を規制板７２によって規制できるような、例えば、回動規制装置７とナイフスイッチ８との間の距離よりも長いものする。規制板７２は、規制板７２のナイフスイッチ８側の一部が筐体７１の内部から開口７１ａを介して突出したり、規制板７２のナイフスイッチ８側の一部が開口７１ａを介して筐体７１の内部に退避したりするように、筐体７１の内部に配設される。尚、規制板７２が開口７１ａから突出した場合、規制板７２のナイフスイッチ８側の一部は、第１位置と第２位置との間の回動位置に移動することとなる。その際、例えば、アーム８１、８３が第１位置に回動されている場合、アーム８１、８３が第１位置から第２位置へ回動するのを規制板７２によって規制されることとなる。アーム８１、８３の第１位置から第２位置への回動を規制する規制板７２の位置を第３位置と称する。尚、開口７１ａは、筐体７１のナイフスイッチ８側の面における、規制板７２を第３位置に移動できる位置に設けられているものとする。尚、第３位置は、筐体７１の外部の位置となる。規制板７２が開口７１ａへ退避した場合、規制板７２は、第１位置と第２位置との間の回動位置から外れることとなる。その際、例えば、アーム８１、８３が第１位置に回動されている場合、アーム８１、８３が第１位置から第２位置へ回動するが許可されることとなる。アーム８１、８３の第１位置から第２位置への回動が許可される規制板７２の位置を第４位置と称する。尚、第４位置は、筐体７１の内部の位置となる。規制板７２を開口７１ａから突出させたり、退避させたりする構成については後述する。
【００３１】
規制板７２の手前側の面（−Ｙ）における、筐体７１の内部から突出したり、筐体７１の内部に退避したりする部分には、表示体７２ａが設けられる。表示体７２ａは、アーム８１、８３の回動が規制されていることを表示する例えばラベルである。例えば、規制板７２が第３位置に移動した場合、表示体７２ａは筐体７１から露出することとなる。例えば、規制板７２が第４位置に移動した場合、表示体７２ａは筐体７１から露出しないこととなる。
【００３２】
ガイド部材４１、４３、７２ｃ、７２ｄは、規制板７２が略水平方向（Ｘ軸）に沿って移動するように、規制板７２を案内するための部材である。ガイド部材４１、４３、７２ｃ、７２ｄは、筐体７１内の例えば開口７１ａの近傍に配設される。ガイド部材７２ｃ、７２ｄは、規制板７２が垂直方向に移動するのを防止する。ガイド部材７２ｃ、７２ｄは夫々、規制板７２の上側、下側を案内するように、ガイド部材７２の上側、下側に配設される。ガイド部材４１、４３は、回動軸７３ａに沿った方向に移動するのを防止する。ガイド部材４１、４３は夫々、規制板７２の手前側の面、規制板７２の奥側の面（＋Ｙ）を案内するように、規制板７２の手前側、奥側に配設される。ガイド部材４２は、奥側のガイド部材（不図示）と対となって、Ｙ軸に沿った方向に加えられる力によって規制板７２がＹ軸方向に移動するのを防止する。ガイド部材４２は、例えば、ガイド部材４１と同じ高さにおける手前側に配設される。奥側のガイド部材は、規制板７２を中心にガイド部材４２と対称な位置に配設される。ガイド部材４２、奥側のガイド部材は夫々、規制板７２がＸ軸方向に沿って移動するのを妨げないように、規制板７２との間に隙間ができるように配設される。例えば、規制板７２が筐体７１の内部から突出した際に、規制板７２の突出した一部に対して手前側に向かう力が加えられた場合、ガイド部材４１、奥側のガイド部材によって、規制板７２の手前側への移動が防止される。一方、例えば、規制板７２が筐体７１の内部から突出した際に、規制板７２の突出した一部に対して奥側に向かう力が加えられた場合、ガイド部材４３、ガイド部材４２によって、規制板７２の奥側への移動が防止される。
【００３３】
ソレノイド装置７４は、規制板７２を第３位置に移動させたり、第４位置に移動させたりするための駆動力を発生する装置である。ソレノイド装置７４は、筐体７５、可動鉄心７６、可動部材７８、ソレノイド７９を有している。
【００３４】
筐体７５は、可動鉄心７６の下側の一部、バネ７７、可動部材７８、ソレノイド７９を収容する。ソレノイド７９は、交流電圧が供給された際に磁界を発生し、交流電圧が供給されない際に磁界を発生しないコイルである。ソレノイド７９には、電線Ｌ７１、Ｌ７２を介して、電線Ｌ５１、Ｌ５２の交流電圧が供給される。尚、電線Ｌ７１には、ヒューズＦ１が例えば手動で着脱できるように設けられているものとする。可動鉄心７６は、例えば、長尺状の棒部材である。可動鉄心７６は、可動鉄心７６の長手方向が垂直方向に沿った状態で筐体７５に収容される。可動鉄心７６の下側の端部（−Ｚ）は、ソレノイド７９で発生する磁界による電磁力で可動鉄心７６を上側（＋Ｚ）に移動させる力をうけるものとする。可動鉄心７６の上側の端部は、連結部材７６ａによってリンク部材７３と連結される。尚、可動鉄心７６とリンク部材７３との連結については後述する。可動鉄心７６のソレノイド７９から露出する部分には、可動部材７８が固定される。可動部材７８は、例えば絶縁性の平板部材である。可動部材７８は、可動部材７８における上側の面と筐体７５の内部における上側の面との間に配設された、規制板７２を第４位置に移動させる駆動力を発生するためのバネ７７の力によって、可動鉄心７６を下側に移動させるための部材である。可動部材７８は、可動鉄心７６とともに垂直方向に移動することとなる。バネ７７は、ソレノイド７９の電磁力によって上側に移動された可動部材７８における上側の面と筐体７５の内部における上側の面との間で圧縮されることによって弾性力が発生する例えばスプリングバネである。尚、可動部材７８、筐体７５は、当該弾性力によって変形しないような強度を有しているものとする。
【００３５】
例えば、ソレノイド７９に対して交流電圧が供給された場合、可動鉄心７６及び可動部材７８は、ソレノイド７９で発生する電磁力によって、バネ７７で発生する弾性力に抗して上側に移動することとなる。尚、可動鉄心７６が上側に移動する距離は、ソレノイド装置７４で発生する駆動力によって規制板７２が第３位置に移動するような距離とする。その後、例えば、ソレノイド７９に対して交流電圧が供給されなくなった場合、可動鉄心７６及び可動部材７８は、バネ７７で発生する弾性力によって下側に移動することとなる。尚、可動鉄心７６が下側に移動する距離は、ソレノイド装置７４で発生する駆動力によって規制板７２が第４位置に移動するような距離とする。
【００３６】
リンク部材７３は、ソレノイド装置７４で発生する駆動力を規制板７２に伝達する部材である。リンク部材７３は、例えば、短辺部材７３ｅと長辺部材７３ｆとが連結された略Ｌ字形状を呈する。リンク部材７３は、例えば、短辺部材７３ｅと長辺部材７３ｆとの連結部分に設けられたか回動軸７３ａを中心に、短辺部材７３ｅ及び長辺部材７３ｆの長手方向が規制板７２の両面と平行な面（ＸＺ平面）に沿うように回動する。尚、回動軸７３ａは、規制板７２の両面に対して直行する方向（Ｙ軸）に沿っているものとする。短辺部材７３ｅにおける長辺部材７３ｆとの連結部分とは反対側の一端側には、回動軸７３ａに沿った方向に連結孔７３ｃが設けられる。連結孔７３ｃは、可動鉄心７６の上側の端部と短辺部材７３ｅとを連結部材７６ａによって連結するための孔である。連結孔７３ｃは、リンク部材７３と可動鉄心７６とを連結した状態で、可動鉄心７６から供給される駆動力によってリンク部材７３が回動軸７３ａを中心にＢ１方向又はＢ２方向に駆動するように、あそびが設けられているものとする。長辺部材７３ｆにおける短辺部材７３ｅとの連結部分とは反対側の一端側は、規制板７２の−Ｘ側の一部と連結される。規制板７２の−Ｘ側の一部には、長辺部材７３ｆと規制板７２とを連結するための、回動軸７３ａに沿った方向に長孔７２ｂが設けられる。尚、長孔７２ｂの長手方向は、例えば垂直方向に沿っているものとする。長辺部材７３ｆは、連結部材７３ｂによって規制板７２と連結される。尚、リンク部材７３と規制板７２とは、リンク部材７３が回動軸７３ａを中心にＢ１方向又はＢ２方向に回動した際の力によって、規制板７２がＸ軸に沿って第３又は第４位置に移動するよう連結されているものとする。
【００３７】
＝＝＝回動規制装置の動作＝＝＝
以下、図１乃至図３、図５を参照して、本実施形態における回動規制装置の動作について説明する。
【００３８】
例えば、アーム８１、８３が第１位置に回動されている状態で、母線Ｌ１（図１）に対して発電機Ｇ１から電力が供給されている場合（以下、「母線Ｌ１へ電力が供給された場合」と称する）と、その後、例えば、遮断器ＣＢ１がＯＦＦして母線Ｌ１への電力の供給が遮断された場合（以下、「母線Ｌ１へ電力が供給されない場合」と称する）とに分けて説明する。
【００３９】
＜母線Ｌ１へ電力が供給された場合＞
母線Ｌ１の電圧はＰＤ１００で例えば１１０ボルトに降圧されて、電線Ｌ５３、Ｌ５４に供給される。電線Ｌ５３、Ｌ５４の電圧は、ナイフスイッチ８、電線Ｌ７１、Ｌ７２を介してソレノイド７９に供給される。ソレノイド７９は、磁界を発生する。可動鉄心７６及び可動部材７８は、ソレノイド７９で発生する磁界に基づく電磁力によって、バネ７７で発生する弾性力に抗して上側に移動する。リンク部材７３は、可動鉄心７６が上側に移動する力を受けて、回動軸７３ａを中心にＢ２方向（図５）に回動する。規制板７２は、リンク部材７３が回動軸７３ａを中心にＢ２方向に回動する力によって、第３位置に移動される。その場合、アーム８１、８３の回動は規制されることとなる。
【００４０】
＜母線Ｌ１へ電力が供給されない場合＞
その後、例えば、遮断器ＣＢ１がＯＦＦした場合、母線Ｌ１には電力が供給されない状態となる。その場合、ＰＤ１００の端子Ｔ５０には電圧が印加されず、ＰＤ１００はソレノイド７９に対して電圧を供給しない状態となる。ソレノイド７９は磁界を発生せずに、バネ７７の弾性力によって、可動部材７８及び可動鉄心７６が下側へ移動する。リンク部材７３は、可動鉄心７６が下側に移動する力を受けて、回動軸７３ａを中心にＢ１方向（図３）に回動する。規制板７２は、リンク部材７３が回動軸７３ａを中心にＢ１方向に回動する力によって、第４位置に移動される。その場合、アーム８１、８３の回動は許可されることとなる。
【００４１】
前述したように、規制板７２は、アーム８１、８３が第１位置から第２位置に回動することを規制する。ＰＤ１００と継電装置４との間の電路が接続された状態で通電されている場合、ソレノイド装置７４及びリンク部材７３は、規制板７２を第３位置に移動させる。ＰＤ１００と継電装置４との間の電路が接続された状態で通電されていない場合、ソレノイド装置７４及びリンク部材７３は、規制板７２を第４位置に移動させる。よって、ＰＤ１００と継電装置４との間の電路が接続された状態で通電されている場合、アーム８１、８３の第１位置から第２位置への回動が規制されることとなる。ＰＤ１００と継電装置４との間の電路が接続された状態で通電されている場合のアーム８１、８３の誤操作（ヒューマンエラー）による当該電路の誤遮断を防止できる。又、ＰＤ１００と継電装置４との間の電路が接続された状態で通電されていない場合、アーム８１、８３の第１位置から第２位置への回動は許可される。よって、アーム８１、８３を第１位置から第２位置へ回動して、ＰＤ１００と継電装置４との間の電路を遮断することによって、例えば、継電装置４の点検作業時にＰＤ１００の二次側に対して電圧が印加されるのを防止できる。
【００４２】
又、第３位置は、アーム８１、８３の第１位置と第２位置との間の回動位置であり、第４位置は、当該回動位置からはずれた位置である。よって、ＰＤ１００と継電装置４との間の電路が接続された状態で通電されている際、規制板７２が第１位置と第２位置との間に移動しているので、例えば、アーム８１、８３を第１位置から第２位置へ回動させようとした場合、アーム８１、８３の把手８５と規制板７２とが干渉して、アーム８１、８２を第１位置から第２位置へ回動できない状態となる。よって、アーム８１、８３の誤操作による電路の誤遮断を確実に防止できる。又、ＰＤ１００と継電装置４との間の電路が接続された状態で通電されていない場合、規制板７２を第１位置と第２位置との間から外れた位置に移動させることによって、アーム８１、８３の操作を行うことが可能となる。
【００４３】
又、ＰＤ１００と継電装置４との間の電路が接続された状態で通電されている場合、ソレノイド装置７４は、規制板７２を第３位置に移動させる駆動力を発生する。ＰＤ１００と継電装置４との間の電路が接続された状態で通電されていない場合、ソレノイド装置７４は、規制板７２を第４位置に移動させる駆動力を発生する。リンク部材７３は、ソレノイド装置７４で発生した駆動力を規制板７２に伝達する。よって、例えば、ＰＤ１００と継電装置４との間の電路の電圧をソレノイド装置７４に供給することによって、ソレノイド装置７４は、当該電路が通電されているか否かに応じて、規制板７２を第３又は第４位置に移動させる駆動力を発生する。又、当該駆動力を規制板７２に対してリンク部材７３によって確実に伝達することができる。よって、ＰＤ１００と継電装置４との間の電路が通電されているか否かに応じて、規制板７２を第３位置又は第４位置に確実に移動させることができる。従って、ＰＤ１００と継電装置４との間の電路が接続された状態で通電されている場合のアーム８１、８３の誤操作による当該電路の誤遮断を更に確実に防止できる。
【００４４】
又、筐体７１には、規制板７２、リンク部材７３、ソレノイド装置７４が収容される。筐体７１におけるナイフスイッチ８と対向する側の面には、開口７１ａが設けられる。開口７１ａは、規制板７２を筐体７１の外部の第３位置に向かって突出するか、筐体７１の内部の第４位置に向かって退避させるための孔である。表示体７２ａは、規制板７２が第３位置にあるときに、アーム８１、８３の回動が規制されていることを表示している。よって、表示体７２ａの表示によって、アーム８１、８３の回動が規制されていることを把握することができるので、ＰＤ１００と継電装置４との間の電路が接続された状態で通電されている場合のアーム８１、８３の誤操作による当該電路の誤遮断を更に確実に防止できる。又、例えば、回動規制装置７のソレノイド装置７４に対して母線Ｌ１の電圧に応じた電圧が供給される場合、表示体７２ａに表示によって、母線Ｌ１に電力が供給されている充電中であるか否かを確認することができる。
【００４５】
又、ヒューズＦ１が、ソレノイド装置７４とＰＤ１００の二次側とを接続するための電線Ｌ７１の所定区間に設けられる。よって、例えば、ＰＤ１００と継電装置４との間の電路が接続された状態で通電されている際に、ヒューズＦ１を取り外すことによって、ソレノイド装置７４に供給される電圧を遮断することができる。よって、ＰＤ１００と継電装置４との間の電路が接続された状態で通電されている際に、ヒューズＦ１を取り外して、アーム８１、８３の第１位置から第２位置への回動を強制的に許可することができる。
【００４６】
又、例えば、ソレノイド装置７４に対してＰＤ１００の二次側に接続することによって、ＰＤ１００の二次側のインピーダンスを高くすることができる。
【００４７】
尚、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【００４８】
本実施形態においては、ソレノイド装置７４で発生する駆動力をリンク部材７３によって規制板７２に伝達する構成について説明したが、これに限定されるものではない。例えば、ソレノイド装置７４の可動鉄心７６の長手方向が、規制板７２が移動する方向に沿うようにソレノイド装置７４を配設して、可動鉄心７６の先端を規制板７２と連結してもよい。その場合、リンク部材７３を設ける必要がないので、コンパクトな回動規制装置７を提供することができる。
【００４９】
又、本実施形態においては、規制板７２の垂直方向の長さを、例えば、アーム８１、８３を第１位置に回動させた際の把手８５の垂直方向の長さと略同様な長さとしたが、これに限定されるものではない。例えば、規制板７２の形状を、アーム８１、８２を第１位置に回動しているときに、規制板７２を第３位置に移動させた際に把手８５、アーム８１、８３、接続板９１ｂ、９２ｂ、端子９１ａ、９２ａを全て手前側（−Ｙ）から覆い隠すような形状としてもよい。その場合、ＰＤ１００と継電装置４との間の電路が接続された状態で通電されている場合、ナイフスイッチ８が規制板７２で覆い隠されているので、アーム８１、８３の誤操作を確実に防止できる。更に、ナイフスイッチ８の金属製の部材が露出するのを防止して、例えば、感電事故の発生を防止できるので、安全性を向上させることができる回動規制装置７を提供できる。
【００５０】
又、本実施形態においては、規制板７２を第３位置に移動させる際、−Ｘ側（図５）から＋Ｘ側に向かって規制板７２を移動させる構成について説明したが、これに限定されるものではない。例えば、回動規制装置７をナイフスイッチ８の上側（＋Ｘ）に設けて、規制板７２を第３位置に移動させる際、上側から下側（−Ｚ）に向かって規制板７２を移動させてもよい。
【００５１】
又、本実施形態においては、表示体７２ａが規制板７２に取り付けられる構成について説明したが、これに限定されるものではない。例えば、表示体７２ａを規制板７２に取り付けずに、規制板７２が第３位置に移動する際に筐体７１の内部から突出し、規制板７２が第４位置に移動する際に筐体７１の内部に退避するように、表示体７２ａを独立の部材としてもよい。その場合、表示体７２ａが筐体７１の内部から突出した際に視認しやすい位置に移動するように、表示体７２ａを設けることによって、表示体７２ａの視認性を向上できる。
【００５２】
又、本実施形態においては、ＰＤ１００と継電装置４との間の電路を接続又は遮断するナイフスイッチ８に対して回動規制装置７を設ける構成について説明したが、これに限定されるものではない。例えば、ナイフスイッチ８に対して回動規制装置７を設けると共に、ＰＤ２００と継電装置４との間の電路を接続又は遮断するナイフスイッチに対して回動規制装置７を設けてもよい。その場合、例えば、回動規制装置７の表示体７２ａの表示によって、母線Ｌ１、Ｌ２のうち何れの母線が電力の供給をうけている充電中の母線であるかを確認することができる。又、例えば、変電所内の電源用のブレーカに対して回動規制装置７を設けてもよい。その場合、ブレーカの誤操作を防止することができる。その際、例えば、規制板７２として、柔軟性の高い部材を採用することによって、例えばブレーカのインターロックによってブレーカのアームが回動する際に、規制板７２と干渉したとしても、当該アームの回動操作が妨げられないようにすることができる。
【００５３】
又、本実施形態においては、ＰＤ１００、２００の二次側には、継電装置４が接続される構成について説明したが、これに限定されるものではない。例えば、ＰＤ１００、２００の二次側にナイフスイッチ８を介して、ＰＤ１００、２００の二次側の電圧を測定するための測定装置等を接続してもよい。
【符号の説明】
【００５４】
１、２  変電所
４      継電装置
７      回動規制装置
８      ナイフスイッチ
１１、１２、１３、１４、２１、２２、２３、２４  断路器
４１、４２、４３、７２ｃ、７２ｄ  ガイド部材
７１、７５  筐体
７１ａ      開口
７２      規制板
７２ａ      表示体
７３      リンク部材
７３ｂ、７６ａ  連結部材
７４      ソレノイド装置
７６      可動鉄心
７７      バネ
７８      可動部材
７９      ソレノイド
８０      背面板
８１、８３  アーム
８２、８４  回動部材
８５      把手
９１、９２  端子台
９１ａ、９２ａ、Ｔ５０、Ｔ５１、Ｔ５２  端子
９１ｂ、９２ｂ  接続板
１００、２００  コンデンサ型計器用変圧器
３００      電力系統
ＣＢ１、ＣＢ２、ＣＢ３、ＣＢ４、ＣＢ５  遮断器
Ｆ１      ヒューズ
Ｌ１、Ｌ２、Ｌ２１      母線
【図１】
2013143293.tif 000003
【図２】
2013143293.tif 000004
【図３】
2013143293.tif 000005
【図４】
2013143293.tif 000006
【図５】
2013143293.tif 000007
【図６】
2013143293.tif 000008